(57)【要約】      （修正有）【課題】一つの辺が下押しされても全体が傾かないボタン構造を提供する。【解決手段】フレーム１１と、ボタン本体１２と、第一弾性アーム１３と、第二弾性アーム１４とを備える。フレーム１１は中空部１１１を有する。ボタン本体１２は長形状を呈すると共に長手方向に沿って対応し合う第一端１２１及び第二端１２２、及び長手方向にそれぞれ位置される対応し合う第一側１２３及び第二側１２４を有する。第一弾性アーム１３は第一側１２３に設置されると共に第一端１２１に近接され、且つ第一弾性アーム１３は対応し合う二端を有し、その内の一端はボタン本体１２に連接され、他端はフレーム１１に連接される。第二弾性アーム１４は第二側１２４に設置されると共に第二端１２２に近接され、且つ第二弾性アーム１３は対応し合う二端を有し、その内の一端はボタン本体１２に連接され、他端はフレーム１１に連接され、第一弾性アーム１３及び第二弾性アーム１４によりボタン本体１２が支持される。【選択図】図１
0003204640.tif 000002
【実用新案登録請求の範囲】
【請求項１】
中空部を有するフレームと、
長形状を呈し、長手方向に沿って対応し合う第一端及び第二端、及び前記長手方向の二側にそれぞれ位置される対応し合う第一側及び第二側を有するボタン本体と、
前記第一側に設置されると共に前記第一端に近接され、且つ対応し合う二端を有し、その内の一端は前記ボタン本体に連接され、他端はフレームに連接される第一弾性アームと、
前記第二側に設置されると共に前記第二端に近接され、対応し合う二端を有し、その内の一端は前記ボタン本体に連接され、他端はフレームに連接され、前記第一弾性アームと共に前記ボタン本体を支持させて前記フレームの前記中空部内に懸装させる第二弾性アームとを備えることを特徴とするボタン構造。
【請求項２】
前記第一弾性アームは、
対応し合う二端を有する曲げ部と、
長手方向は前記ボタン本体の長手方向にほぼ平行し、長手方向に沿う何れか１つの一端は前記フレームに連接され、他端は前記曲げ部の内の何れか１つの一端に連接される第一ポールと、
長手方向は前記ボタン本体の長手方向にほぼ平行し、長手方向に沿う何れか１つの一端は前記曲げ部の前記第一ポールに連接される他端に連接され、他端には前記ボタン本体に連接される凸部が設けられる第二ポールとを備えることを特徴とする、請求項１に記載のボタン構造。
【請求項３】
前記曲げ部、前記第一ポール及び前記第二ポールはほぼ「Ｕ」型を呈する構造を構成し、前記曲げ部は前記「Ｕ」型構造のほぼ上部に位置されることを特徴とする、請求項２に記載のボタン構造。
【請求項４】
前記第二弾性アームには曲げ部が設けられ、且つ前記第一弾性アームの曲げ部の延伸方向及び前記第二弾性アームの曲げ部の延伸方向は互いに反対方向になり、前記第二弾性アーム及び前記第一弾性アームの形状は同じであることを特徴とする、請求項２に記載のボタン構造。
【請求項５】
前記凸部の突出方向は前記ボタン本体の長手方向に垂直になることを特徴とする、請求項２に記載のボタン構造。
【請求項６】
前記曲げ部の中心線及び前記凸部の中心線の垂直距離にアームが形成され、前記アームの距離はこれら前記弾性アーム及び前記ボタン本体の連接位置の中心線の垂直距離の二分の一より小さいことを特徴とする、請求項２に記載のボタン構造。
【請求項７】
前記フレームは多辺形を呈することを特徴とする、請求項１に記載のボタン構造。
【請求項８】
前記フレームはほぼ矩形を呈し、前記ボタン本体は前記矩形の中間に設置され、且つ前記矩形の内側には前記ボタン本体に対称になる４つの隅部を有し、前記第一弾性アーム及び前記第二弾性アームが前記フレームに連接される位置は前記フレームが備える４つの隅部の内の何れか２つの対角線位置の隅部に位置されることを特徴とする、請求項１に記載のボタン構造。
【請求項９】
前記ボタン本体の延伸方向と前記第一弾性アーム及び前記第二弾性アームが前記フレームに連接される位置の延伸方向との間には鋭角が形成されることを特徴とする、請求項８に記載のボタン構造。
【請求項１０】
前記ボタン本体は前記フレームの何れか１つの一面に突出され、前記ボタン本体は延伸部を有し、前記延伸部は前記フレームの他面に突出され、前記ボタン本体が下押しされると前記延伸部が連動されることを特徴とする、請求項１に記載のボタン構造。
【請求項１１】
長形状を呈し、長手方向に沿って対応し合う第一端及び第二端、及び前記長手方向の二側にそれぞれ位置される対応し合う第一側及び第二側を有するボタン本体と、
前記第一側に設置されると共に前記第一端に近接され、且つ対応し合う二端を有し、その内の一端は前記ボタン本体に連接され、他端は第一固定点を構成させる第一弾性アームと、
前記第二側に設置されると共に前記第二端に近接され、対応し合う二端を有し、その内の一端は前記ボタン本体に連接され、他端は第二固定点を構成させ、第一弾性アームと共に前記ボタン本体を支持させて懸装させ、前記ボタン本体の延伸方向と前記第一固定点及び前記第二固定点の延伸方向との間には鋭角が形成される第二弾性アームとを備えることを特徴とするボタン構造。
【請求項１２】
前記第一弾性アームは、
対応し合う二端を有する曲げ部と、
長手方向は前記ボタン本体の長手方向にほぼ平行し、長手方向に沿う何れか１つの一端は前記第一固定点に連接され、他端は前記曲げ部の何れか１つの一端に連接される第一ポールと、
長手方向は前記ボタン本体の長手方向にほぼ平行し、長手方向に沿う何れか１つの一端は前記曲げ部の対応される前記第一ポールに連接される他端に連接され、前記第二ポールの他端には前記ボタン本体に連接される凸部が設けられる第二ポールとを備えることを特徴とする、請求項１１に記載のボタン構造。
【請求項１３】
前記曲げ部、前記第一ポール及び前記第二ポールはほぼ「Ｕ」型を呈する構造を構成し、前記曲げ部は前記「Ｕ」型構造のほぼ上部に位置されることを特徴とする、請求項１２に記載のボタン構造。
【請求項１４】
前記第二弾性アームには曲げ部が設けられ、且つ前記第一弾性アームの曲げ部の延伸方向及び前記第二弾性アームの曲げ部の延伸方向は互いに反対方向になり、前記第二弾性アーム及び前記第一弾性アームの形状は同じであることを特徴とする、請求項１２に記載のボタン構造。
【請求項１５】
前記凸部の突出方向は前記ボタン本体の長手方向に垂直になることを特徴とする、請求項１２に記載のボタン構造。
【請求項１６】
前記曲げ部の中心線及び前記凸部の中心線の垂直距離にはアームが形成され、前記アームの距離はこれら前記弾性アーム及び前記ボタン本体の連接位置の中心線の垂直距離の二分の一より小さいことを特徴とする、請求項１２に記載のボタン構造。
【考案の詳細な説明】
【技術分野】
【０００１】
本考案は、１つの辺が下押しされても全体が平行移動効果を有して傾かないように維持され、且つ下押しに必要な力も小さいボタン構造に関する。
【背景技術】
【０００２】
図４は従来のボタン構造８０を示す概略図であり、ボタン構造８０をケース体に固定させるための２つの支点８１、８２を有し(図示せず)、前記２つの支点８１、８２は弾性アーム８３、８４により長形状のボタン本体８５にそれぞれ連接される。何れか１つの弾性アーム８３は「Ｕ」型を呈し、他の弾性アーム８４は「Ｌ」型を呈する。弾性アーム８３には可動支点用アームＡ８３が形成され、弾性アーム８４には固定支点用アームＡ８４が形成され、可動支点用アームＡ８３及び固定支点用アームＡ８４の長さは弾性アーム８３、８４とボタン本体８５との連接箇所の距離Ｌ１の半分より長い。
【考案の概要】
【考案が解決しようとする課題】
【０００３】
前記ボタン構造８０の欠点は、支点８１、８２が二側に位置され、ボタン構造８０の中央部位箇所が下押しされると(力が加えられると)、ボタン本体８５のスムーズな作動が確保される。しかしながら、前述した従来のボタン構造技術では、ボタン本体８５が長形状を呈するため、操作者が往々にしてボタン本体８５の何れか１つの一端を下押ししてしまい、ボタン本体８５の他端が跳ね上がってしまうため、ボタン本体８５とケース体との隙間を大きくして「ボタンが引っかかる」状態を回避させねばならない。このほか、厚さ０．７ミリメートルの弾性アーム８３、８４では、ボタン本体８５の中心を下押しさせて１ミリメートル(mm)下降させるために必要な力量は約３５０グラムである。
【０００４】
なお、図５は従来の他のボタン構造９０を示す概略図であり、ボタン構造９０をケース体に固定させるための４つの支点９１〜９４を有し(図示せず)、前記４つの支点９１〜９４は、対称になると共に「Ｕ」型を呈する弾性アーム９５〜９８により長形状のボタン本体９９にそれぞれ連接される。弾性アーム９５を例にすると、形成される可動支点用アームＡ９５の長さは弾性アーム９５〜９８とボタン本体９９との連接箇所の距離Ｌ２の半分より短い。ボタン構造９０が４つの支点９１〜９４を有するため、受力が平均化され、図４に示すボタン構造８０の受力が不均一になって傾いてしまう現象を改善させるが、しかしながら、ボタン本体９９が４つの弾性アーム９５〜９８に拘持されるため、下押しするのためには大きな力が必要になり、厚さ０．７ミリメートルの弾性アーム９５〜９８では、ボタン本体９９の中心を下押しさせて１ミリメートル(mm)下降させるのに必要な力量は約５５０グラムである。
【０００５】
そこで、本考案者は上記の欠点が改善可能と考え、鋭意検討を重ねた結果、合理的かつ的に課題を改善する本考案の提案に到った。即ち、上述した課題を解決するために、考案者は『１つの辺が下押しされても全体が平行移動効果を有して傾かないように維持され、且つ下押しに必要な力も小さい』のボタン構造を見出した。
【０００６】
本考案は、このような従来の問題に鑑みてなされたものである。上記課題解決のため、本考案は、ボタン構造を提供することを主目的とする。
【課題を解決するための手段】
【０００７】
上述した課題を解決し、上記目的を達成するための本考案は、本考案に係るボタン構造は、
中空部を有するフレームと、
長形状を呈し、長手方向に沿って対応し合う第一端及び第二端、及び前記長手方向の二側にそれぞれ位置される対応し合う第一側及び第二側を有するボタン本体と、
前記第一側に設置されると共に前記第一端に近接され、且つ対応し合う二端を有し、その内の一端は前記ボタン本体に連接され、他端はフレームに連接される第一弾性アームと、
前記第二側に設置されると共に前記第二端に近接され、対応し合う二端を有し、その内の一端は前記ボタン本体に連接され、他端はフレームに連接され、前記第一弾性アームと共に前記ボタン本体を支持させて前記フレームの前記中空部内に懸装させる第二弾性アームとを備えることを特徴とする。
【０００８】
本考案によれば、１つの辺が下押しされても全体が平行移動効果を有して傾かないように維持され、且つ下押しに必要な力も小さい。
【図面の簡単な説明】
【０００９】
【図１】本考案の第１実施形態によるボタン構造示す外観斜視図である。
【図２】図１に示す第１実施形態の構成を示す上面図である。
【図３】図１に示す第１実施形態の構成がケースに合わせてなる側面図である。
【図４】従来のボタン構造を示す概略図である。
【図５】従来の他のボタン構造を示す概略図である。
【考案を実施するための形態】
【００１０】
以下に図面を参照して、本考案を実施するための形態について、詳細に説明する。なお、本考案は、以下に説明する実施形態に限定されるものではない。
【００１１】
第１実施形態
本考案に係るボタン構造１０は、フレーム１１と、ボタン本体１２と、第一弾性アーム１３と、第二弾性アーム１４とを備える（図１乃至図３参照）。
【００１２】
また、フレーム１１は中空部１１１を有し、フレーム１１には４つの固定点１１２が設けられ、前記４つの固定点１１２はフレーム１１の四角にほぼ対称に設置され、ボルト或いは他の方式によりボタン構造１０が所定の位置に固定され、例えば、図３に示すように、ケース２０内に固定される。固定点１１２の数量は４つに制限されず、２つ或いは３つ等でもよく、フレーム１１をケース２０内に固定させて対称に設置可能であればよい。
【００１３】
ボタン本体１２はほぼ扁平な長形状を呈し、ボタン本体１２は長手方向Ｆ１に沿って対応し合う第一端１２１及び第二端１２２、及び長手方向Ｆ１の二側にそれぞれ位置される対応し合う第一側１２３及び第二側１２４を有する。ボタン本体１２はフレーム１１の何れか１つの一面に突出され(フレーム１１の上面に図示する)、ボタン本体１２は延伸部１２５を有し、延伸部１２５はフレーム１１の他面に突出される(フレーム１１の底面に図示する)。図３に示すように、ボタン本体１２が下押しされると延伸部１２５が連動されて下に向けて、延伸部１２５の底部が対応される位置に設置される電子部材をトリガさせる(図示せず)。
【００１４】
第一弾性アーム１３はボタン本体１２の第一側１２３に設置されると共に第一端１２１に近接され、第一弾性アーム１３は曲げ部１３１と、第一ポール１３２と、第二ポール１３３とを備え、曲げ部１３１、第一ポール１３２及び第二ポール１３３はほぼ「Ｕ」型を呈する構造を構成し、前記曲げ部１３１は前記「Ｕ」型構造のほぼ上部に位置される。曲げ部１３１は対応し合う二端を有し、第一ポール１３２及び第二ポール１３３は曲げ部１３１の二端にそれぞれ連接され、曲げ部１３１の態様は制限されず、本実施形態では弧形構造である。第一ポール１３２の長手方向はボタン本体１２の長手方向Ｆ１にほぼ平行し、第一ポール１３２は長手方向に沿う何れか１つの一端がフレーム１１に連接され、他端が曲げ部１３１の何れか１つの一端に連接される。第二ポール１３３の長手方向はボタン本体１２の長手方向Ｆ１にほぼ平行し、第二ポール１３３は長手方向に沿う何れか１つの一端が曲げ部１３１の対応される第一ポール１３２に連接される他端に連接され、第二ポール１３３の他端にはボタン本体１２に連接される凸部１３４が設けられる。凸部１３４の突出方向はボタン本体１２の長手方向Ｆ１に垂直になる。
【００１５】
上述の構造により、第一弾性アーム１３は対応し合う二端を有し、その内の一端はボタン本体１２に連接され、他端はフレーム１１に連接される。
【００１６】
第二弾性アーム１４の形状は第一弾性アーム１３の形状と同じであるが、ただし、第一弾性アーム１３と対称になるようにボタン本体１２の二側及び二端に設置される。即ち、第二弾性アーム１４はボタン本体１２の第二側１２４に設置されると共に第二端１２２に近接され、第二弾性アーム１４は対応し合う二端を有し、その内の一端はボタン本体１２に連接され、他端はフレーム１１に連接され、第二弾性アーム１４の二端の間には他の曲げ部１４１が設けられ、且つ第一弾性アーム１３の曲げ部１３１の延伸方向及び第二弾性アーム１４の曲げ部１４１の延伸方向は互いに反対方向になる。第一弾性アーム１３及び第二弾性アーム１４によりボタン本体１２が支持されてフレーム１１の中空部１１１内に懸装される。
【００１７】
本考案のフレーム１１はほぼ矩形を呈し、ボタン本体１２は前記矩形の中間に設置され、且つ前記矩形の内側にはボタン本体１２に対称になる４つの隅部を有し、第一弾性アーム１３及び第二弾性アーム１４がフレーム１１に連接される位置はフレーム１１が備える４つの隅部の内の何れか２つの対角線位置の隅部に位置され、即ち、ボタン本体１２の延伸方向と第一弾性アーム１３及び第二弾性アーム１４がフレーム１１に連接される位置の延伸方向との間には１つの鋭角θ１、θ２が形成される。フレーム１１の形状は矩形に制限されず、ボタン本体１２に対称になるどのような多辺形でもよく、例えば、六辺形或いは八辺形等でもよい。
【００１８】
他の実施形態
本考案の他の実施形態はフレーム１１が無い構造であり、第一弾性アーム１３のボタン本体１２から離れる他端には固定点１１２が構成され、第二弾性アーム１４のボタン本体１２から離れる他端には他の固定点１１２が構成される。ボタン本体１２の延伸方向と上述の２つの固定点の延伸方向との間には１つの鋭角θ１、θ２が形成される。
【００１９】
第一弾性アーム１３を例にすると、曲げ部１３１の中心線及び凸部１３４の中心線の垂直距離に第一アームＡ１３が形成され、第一アームＡ１３の距離は、第一弾性アーム１３及び第二弾性アーム１４がボタン本体１２に連接される位置の中心線の垂直距離Ｌの二分の一より短い。同様に、第二弾性アーム１４に形成される第二アームＡ１４も距離Ｌの二分の一より短い。
【００２０】
結論として、本考案のボタン構造は、長形状のボタン本体の長手方向の二側辺及び二端に弾性アームがそれぞれ設置され、２つの構造が対称になる弾性アームにより長形状のボタン本体が支持されてフレームに懸装され、支点の下押しが短縮され(図４に示す従来のボタン構造と比較)、これにより、１つの辺が下押しされても全体が平行移動効果を有して傾かないように維持される。このほか、本考案では下押しに必要な力量が減少し、厚さ０．７ミリメートルの第一弾性アーム１３及び第二弾性アーム１４では、ボタン本体１２の中心を下押しさせて１ミリメートル(mm)下降させるのに必要な力量は約３００グラムであり、図４及び図５に示す従来のボタン構造の下押しに必要な力量よりも小さい。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
（従来の技術）
８０、９０  ボタン構造
８１、８２、９１〜９４  支点
８３、８４、９５〜９８  弾性アーム
８５、９９  ボタン本体
Ａ８３、Ａ９５  可動支点用アーム
Ａ８４  固定支点用アーム
Ｌ１、Ｌ２  距離
（本考案）
１０  ボタン構造
１１  フレーム
１１１  中空部
１１２  固定点
１２  ボタン本体
１２１  第一端
１２２  第二端
１２３  第一側
１２４  第二側
１２５  延伸部
１３  第一弾性アーム
１３１  曲げ部
１３２  第一ポール
１３３  第二ポール
１３４  凸部
１４  第二弾性アーム
１４１  曲げ部
２０  ケース
Ａ１３  第一アーム
Ａ１４  第二アーム
Ｆ１  長手方向
Ｌ  距離
θ１、θ２  鋭角
【図１】
0003204640.tif 000003
【図２】
0003204640.tif 000004
【図３】
0003204640.tif 000005
【図４】
0003204640.tif 000006
【図５】
0003204640.tif 000007